(57)【特許請求の範囲】
【請求項１】
コアシートが軸方向に積層されてなり軸方向に貫通する収容孔が周方向に複数形成されたロータコアを有し、磁極数がＰ極（但し、Ｐは４以上の偶数）となるように前記収容孔内に磁石が配設されたロータを備えた埋込磁石型モータであって、
前記収容孔は、略径方向に延びる径方向収容孔と、径方向外側に凸となる略Ｖ字形状のＶ字収容孔とが、それぞれＰ／２個形成されてなるとともにそれらが周方向に交互に形成されてなり、
前記磁石は、前記径方向収容孔内に配設されるとともに、前記Ｖ字収容孔のＶ字を形成する各直線に対応した各磁石収容部内にそれぞれ配設され、
前記径方向収容孔内に配設される前記磁石と、その周方向の一方に隣り合う前記磁石収容部内に配設される前記磁石とで１つの磁極が構成されるとともに、前記径方向収容孔内に配設される前記磁石と、その周方向の他方に隣り合う前記磁石収容部内に配設される前記磁石とで異なる１つの磁極が構成されるものであって、
前記コアシートにおける前記径方向収容孔と対応したＰ／２個の全ての積層前径方向収容孔は、前記磁石より径方向内側に長く形成されるとともに、その少なくとも１つには、前記磁石の径方向内側への移動を規制すべく径方向の直交方向の片側からのみ突出した突出部が形成され、
前記ロータコアは、各前記径方向収容孔の軸方向の一部に前記突出部が配置されるように前記コアシートが積層されてなり、積層方向において一のコアシートの上下に隣接して積層される両コアシートには一のコアシートに形成される前記突出部と軸方向で対応する位置に突出部が形成されないように前記コアシートが積層されてなることを特徴とする埋込磁石型モータ。
【請求項２】
請求項１に記載の埋込磁石型モータにおいて、
前記突出部は、前記コアシートに１個のみ形成されたことを特徴とする埋込磁石型モータ。
【請求項３】
請求項１又は２に記載の埋込磁石型モータにおいて、
前記径方向収容孔の径方向内側端部は、前記ロータコアの軸中心からの距離が、同軸中心から前記磁石収容部の径方向内側端部までの距離以下に設定されたことを特徴とする埋込磁石型モータ。
【請求項４】
請求項１乃至３のいずれか１項に記載の埋込磁石型モータにおいて、
前記突出部は、前記ロータコアの軸中心からの距離が、同軸中心から前記磁石収容部の径方向内側端部までの距離より大きく設定されたことを特徴とする埋込磁石型モータ。
【請求項５】
請求項１乃至４のいずれか１項に記載の埋込磁石型モータにおいて、
前記突出部の突出量は、前記径方向収容孔における径方向の直交方向の幅の半分より小さく設定され、
前記ロータコアは、前記突出部が前記径方向収容孔における径方向直交方向の両側から同じ数突出するように前記コアシートが積層されてなることを特徴とする埋込磁石型モータ。
【発明の詳細な説明】
【技術分野】
【０００１】
本発明は、埋込磁石型モータに関するものである。
【背景技術】
【０００２】
従来、埋込磁石型モータは、ロータコアに軸方向に貫通する収容孔が周方向に複数形成されその各収容孔にそれぞれ磁石が配設されたロータを備える。
そして、このような埋込磁石型モータとしては、例えば、特許文献１に開示されたものがある。この埋込磁石型モータにおけるロータコアの収容孔は、略径方向に延びる径方向収容孔と、径方向外側に凸となる略Ｖ字形状のＶ字収容孔とが、磁極数がＰ極に対して、それぞれＰ／２個形成されてなるとともにそれらが周方向に交互に形成されてなる。又、磁石は、前記径方向収容孔内に配設されるとともに、前記Ｖ字収容孔のＶ字を形成する各直線に対応した各磁石収容部内にそれぞれ配設される。そして、この埋込磁石型モータでは、径方向収容孔内に配設される磁石と、その周方向の一方に隣り合う磁石収容部内に配設される磁石とで１つの磁極が構成されるとともに、径方向収容孔内に配設される磁石と、その周方向の他方に隣り合う磁石収容部内に配設される磁石とで異なる１つの磁極が構成されるようになっている。
【特許文献１】特開２００７−１９５３９１号公報
【発明の開示】
【発明が解決しようとする課題】
【０００３】
ところで、上記のような埋込磁石型モータのロータコアでは、径方向収容孔の径方向内側端部まで磁石が配置され、該径方向内側端部で磁石の径方向内側への移動を規制する構成となっている。しかしながら、径方向収容孔の径方向内側端部を構成する部分（ロータコアの一部）が磁気抵抗の小さい磁路を構成してしまうため、該部分での漏れ磁束が多いという問題がある。尚、このことは、埋込磁石型モータにおける有効磁束を減少させ高トルク化を阻害してしまう原因となる。
【０００４】
本発明は、上記問題点を解決するためになされたものであって、その目的は、漏れ磁束を低減することができる埋込磁石型モータを提供することにある。
【課題を解決するための手段】
【０００５】
請求項１に記載の発明では、コアシートが軸方向に積層されてなり軸方向に貫通する収容孔が周方向に複数形成されたロータコアを有し、磁極数がＰ極（但し、Ｐは４以上の偶数）となるように前記収容孔内に磁石が配設されたロータを備えた埋込磁石型モータであって、前記収容孔は、略径方向に延びる径方向収容孔と、径方向外側に凸となる略Ｖ字形状のＶ字収容孔とが、それぞれＰ／２個形成されてなるとともにそれらが周方向に交互に形成されてなり、前記磁石は、前記径方向収容孔内に配設されるとともに、前記Ｖ字収容孔のＶ字を形成する各直線に対応した各磁石収容部内にそれぞれ配設され、前記径方向収容孔内に配設される前記磁石と、その周方向の一方に隣り合う前記磁石収容部内に配設される前記磁石とで１つの磁極が構成されるとともに、前記径方向収容孔内に配設される前記磁石と、その周方向の他方に隣り合う前記磁石収容部内に配設される前記磁石とで異なる１つの磁極が構成されるものであって、前記コアシートにおける前記径方向収容孔と対応したＰ／２個の全ての積層前径方向収容孔は、前記磁石より径方向内側に長く形成されるとともに、その少なくとも１つには、前記磁石の径方向内側への移動を規制すべく径方向の直交方向の片側からのみ突出した突出部が形成され、前記ロータコアは、各前記径方向収容孔の軸方向の一部に前記突出部が配置されるように前記コアシートが積層されてなり、積層方向において一のコアシートの上下に隣接して積層される両コアシートには一のコアシートに形成される前記突出部と軸方向で対応する位置に突出部が形成されないように前記コアシートが積層されてなる。
【０００６】
同構成によれば、径方向収容孔の軸方向の少なくとも一部に突出部が配置され、該突出部で磁石の径方向内側への移動が規制される。そして、径方向収容孔は、磁石より径方向に長く形成され、その径方向内側端部が（突出部によって径方向内側への移動が規制された）磁石と離間するため、該部分での磁気抵抗が大きくなり（磁路が遠くなり）、漏れ磁束を低減することができる。しかも、突出部は径方向の直交方向の片側からのみ突出するため、例えば突出部を径方向の直交方向の両側から突出させる場合に比べて、例えばコアシートの打ち抜き性が良く、容易に製造することができる。
【０００７】
請求項２に記載の発明では、請求項１に記載の埋込磁石型モータにおいて、前記突出部は、前記コアシートに１個のみ形成された。
同構成によれば、磁気抵抗を小さくしてしまう突出部をコアシートに１個としたため、全体的に磁気抵抗が最も大きくなり、漏れ磁束を最も低減することができる。
【０００８】
請求項３に記載の発明では、請求項１又は２に記載の埋込磁石型モータにおいて、前記径方向収容孔の径方向内側端部は、前記ロータコアの軸中心からの距離が、同軸中心から前記磁石収容部の径方向内側端部までの距離以下に設定された。
【０００９】
同構成によれば、径方向内側で磁石収容部と径方向収容孔との間に形成されることになる磁路が細くなり、該部分での漏れ磁束を低減することができる。
請求項４に記載の発明では、請求項１乃至３のいずれか１項に記載の埋込磁石型モータにおいて、前記突出部は、前記ロータコアの軸中心からの距離が、同軸中心から前記磁石収容部の径方向内側端部までの距離より大きく設定された。
【００１０】
同構成によれば、径方向収容孔内に配設される磁石の径方向内側端部は、前記ロータコアの軸中心からの距離が、同軸中心から前記磁石収容部の径方向内側端部までの距離より大きくなるため、径方向収容孔内に配設した状態で着磁を行う際に、例えば磁石の径方向内側端部と径方向収容孔の径方向内側端部の軸中心からの距離が同じ場合に比べて、容易且つ良好に着磁することができる。よって、磁石の無駄を少なくすることができる。
【００１１】
請求項５に記載の発明では、請求項１乃至４のいずれか１項に記載の埋込磁石型モータにおいて、前記突出部の突出量は、前記径方向収容孔における径方向の直交方向の幅の半分より小さく設定され、前記ロータコアは、前記突出部が前記径方向収容孔における径方向直交方向の両側から同じ数突出するように前記コアシートが積層されてなる。
【００１２】
同構成によれば、突出部は径方向収容孔における径方向直交方向の両側から突出するため、（径方向収容孔における径方向直交方向の片側からのみ突出したものに比べて）磁石をバランス良く支持することができる。又、突出部は径方向収容孔における径方向直交方向の両側から同じ数突出するため、ロータコア自体のバランスが良好となる。又、突出部の突出量は、径方向収容孔における径方向の直交方向の幅の半分より小さく設定されるため、径方向収容孔における径方向直交方向の両側から突出する突出部同士が接触してしまうことがなく、そのことにより磁気抵抗が小さくなる（磁路が短くなる）ことがない。
【発明の効果】
【００１３】
本発明によれば、漏れ磁束を低減することができる埋込磁石型モータを提供することができる。
【発明を実施するための最良の形態】
【００１４】
以下、本発明を具体化した一実施の形態を図１〜３に従って説明する。図１に示すように、埋込磁石型モータは、ステータ１とロータ２とを備える。
ステータ１は、全体的に略円筒状に形成され、外形を形成する円筒部３の内周面から周方向等角度間隔で軸中心に向かって延びるように形成された複数のティース４を有したステータコア５と、各ティース４にインシュレータ（図示略）を介して集中巻にて巻回された巻線６（図１中、一部のみ２点鎖線で図示）とを備える。尚、本実施の形態では、ティース４は、１２個形成されている。
【００１５】
ロータ２は、回転軸７と、回転軸７に対して固定されるロータコア８と、ロータコア８に形成された収容孔（径方向収容孔８ａ及びＶ字収容孔８ｂ）内に配設される磁石９，１０とを備える。尚、ロータ２における磁極数はＰ極であって本実施の形態では８極に設定されている。
【００１６】
ロータコア８は、コアシート１１（図２参照）が軸方向に積層される（図３参照）ことで略円筒状に形成され、その中心孔に回転軸７が嵌着され、ステータ１の内側に回転可能に支持される。又、ロータコア８において磁石９，１０を内部に収容すべく軸方向に貫通する収容孔は、径方向に延びる径方向収容孔８ａと、径方向外側に凸となる略Ｖ字形状のＶ字収容孔８ｂとが、それぞれＰ／２個であって本実施の形態では（８／２＝）４個ずつ形成されてなるとともにそれらが周方向に交互であって等角度間隔に形成されてなる。
【００１７】
径方向収容孔８ａの径方向外側端部には、軸方向から見た（径方向の直交方向の）幅が他の部分（径方向収容孔８ａ内に配設される前記磁石９の幅）より大きく設定された大幅部８ｃが軸方向全体に（貫通するように）形成されている。又、径方向収容孔８ａの径方向外側において大幅部８ｃの径方向内側には、磁石９の径方向外側への移動を規制すべく軸方向から見た（径方向の直交方向の）幅が他の部分より小さくなるように径方向の直交方向に突出した外側突出部８ｄ（図３参照）が軸方向の一部に（コアシート１１の３枚置きに）形成されている。この外側突出部８ｄは、周方向両側から一対、同じ量（互いに当接しない量）だけ突出して形成されている。
【００１８】
又、径方向収容孔８ａの径方向内側端部から若干離間した径方向内側には、磁石９の径方向内側への移動を規制すべく径方向の直交方向の片側（図１中、反時計回り側）からのみ突出した突出部としての内側突出部８ｅ（図３参照）が軸方向の一部に（コアシート１１の３枚置きに）形成されている。尚、本実施の形態の内側突出部８ｅの突出量は、径方向収容孔８ａにおける径方向の直交方向の幅の半分より大きく設定されている。
【００１９】
Ｖ字収容孔８ｂは、そのＶ字を形成する２つの直線に対応した一対の磁石収容部８ｆを備える。本実施の形態の一対の磁石収容部８ｆは、径方向外側ほど周方向の間隔が近くなるが径方向外側端部でも互いに連通しないようにそれぞれ独立した（軸方向に貫通する）孔として形成されている。又、Ｖ字収容孔８ｂの径方向外側端部、即ち各磁石収容部８ｆの径方向外側端部には、前記磁石１０が配置されないＶ字側空隙８ｇが形成されている。本実施の形態のＶ字側空隙８ｇは、軸方向から見た幅が他の部分（磁石１０を収容する部分）と略同じとなるように形成されている。又、磁石収容部８ｆの径方向外側においてＶ字側空隙８ｇの径方向内側には、磁石１０の径方向外側（Ｖ字側空隙８ｇ）への移動を規制すべく軸方向から見た幅が他の部分より小さくなるように突出した突出部８ｈが形成されている。この突出部８ｈは、一対の磁石収容部８ｆの対向する側からそれぞれ離間する側へ同じ量だけ突出して形成されている。
【００２０】
又、本実施の形態における磁石収容部８ｆの径方向内側端部は、軸方向から見て、径方向収容孔８ａの側部、詳しくは径方向収容孔８ａの径方向内側において径方向の直交方向を向いた辺（内側突出部８ｅを除く内壁面）と対向するように形成されている。そして、磁石収容部８ｆの径方向内側と径方向収容孔８ａとの間に形成される内側ブリッジ部８ｉの軸方向から見た幅は径方向に沿って一定となるように形成されている。尚、これは、磁石収容部８ｆの径方向内側端部に軸方向から見て略三角形状の延設部８ｊが延設されることで実現されている。尚、上記形状のロータコア８には、径方向収容孔８ａの径方向外側（大幅部８ｃ）とロータコア８の外周面との間に外側ブリッジ部８ｋが形成され、磁石収容部８ｆの径方向外側（Ｖ字側空隙８ｇ）とロータコア８の外周面との間に外側ブリッジ部８ｌが形成されることになる。又、上記形状のロータコア８には、一対の磁石収容部８ｆ間における径方向外側に径方向に延びる（前記外側ブリッジ部８ｌと繋がる）収容部間ブリッジ部８ｍが形成されることになる。
【００２１】
ここで、図２に示すように、上記したロータコア８を構成するコアシート１１における前記径方向収容孔８ａと対応したＰ／２個の積層前径方向収容孔１１ａは、磁石９より径方向に長く形成されるとともに、その少なくとも１つに磁石９の径方向内側への移動を規制すべく径方向の直交方向の片側から突出した前記内側突出部８ｅが形成されている。本実施の形態では、内側突出部８ｅは、コアシート１１に（即ち４つの積層前径方向収容孔１１ａの内の１つ）に１個のみ形成されている。又、本実施の形態では、前記外側突出部８ｄも、内側突出部８ｅが形成された積層前径方向収容孔１１ａにのみ形成されている。即ち、本実施の形態では、１枚のコアシート１１の３個の積層前径方向収容孔１１ａには、内側突出部８ｅ及び外側突出部８ｄが形成されていない。
【００２２】
又、本実施の形態における径方向収容孔８ａ（積層前径方向収容孔１１ａ）の径方向内側端部は、ロータコア８の軸中心からの距離が、同軸中心から前記磁石収容部８ｆ（積層前磁石収容部１１ｂ）の径方向内側端部までの距離以下であって、略同じに設定されている。
【００２３】
又、本実施の形態における前記内側突出部８ｅは、ロータコア８の軸中心からの距離が、同軸中心から前記磁石収容部８ｆ（積層前磁石収容部１１ｂ）の径方向内側端部までの距離より大きく設定されている。
【００２４】
そして、本実施の形態のロータコア８は、前記コアシート１１が軸中心に１枚ずつ３６０°／（Ｐ／２）であって、本実施の形態では９０°ずつ回転されながら多数枚積層されてなる。
【００２５】
そして、前記径方向収容孔８ａ内と前記磁石収容部８ｆ内には、それぞれ略直方体形状の磁石９，１０が配設される。尚、本実施の形態の磁石９，１０は、径方向収容孔８ａ及び磁石収容部８ｆ内への挿入し易さを考慮して径方向収容孔８ａ及び磁石収容部８ｆ内に配設された後に着磁が行われている。
【００２６】
上記のように構成されるロータ２では、径方向収容孔８ａ内に配設される磁石９と、その周方向の一方（図１中、時計回り方向）に隣り合う磁石収容部８ｆ内に配設される磁石１０とで１つの磁極（例えばＳ極）が構成されるとともに、径方向収容孔８ａ内に配設される磁石９と、その周方向の他方（図１中、反時計回り方向）に隣り合う磁石収容部８ｆ内に配設される磁石１０とで異なる１つの磁極（例えばＮ極）が構成されている。
【００２７】
次に、上記実施の形態の特徴的な作用効果を以下に記載する。
（１）径方向収容孔８ａの軸方向の一部に内側突出部８ｅが配置され、該内側突出部８ｅで磁石９の径方向内側への移動が規制される。そして、径方向収容孔８ａは、磁石９より径方向（内側）に長く形成され、その径方向内側端部が（内側突出部８ｅによって径方向内側への移動が規制された）磁石９と離間するため、該部分での磁気抵抗が大きくなり（磁路が遠くなり）、漏れ磁束を低減することができる。しかも、内側突出部８ｅは径方向の直交方向の片側からのみ突出するため、例えば内側突出部８ｅを径方向の直交方向の両側から突出させる場合に比べて、例えばコアシート１１の打ち抜き性が良く、容易に製造することができる。
【００２８】
（２）磁気抵抗を小さくしてしまう内側突出部８ｅをコアシート１１に１個としたため、（２個以上とした場合に比べて）全体的に磁気抵抗が最も大きくなり、漏れ磁束を最も低減することができる。
【００２９】
（３）径方向収容孔８ａ（積層前径方向収容孔１１ａ）の径方向内側端部は、ロータコア８の軸中心からの距離が、同軸中心から前記磁石収容部８ｆ（積層前磁石収容部１１ｂ）の径方向内側端部までの距離以下であって、略同じに設定される。このようにすると、径方向内側で磁石収容部８ｆと径方向収容孔８ａとの間に形成されることになる磁路（内側ブリッジ部８ｉ）が細くなり、該部分での漏れ磁束を低減することができる。
【００３０】
（４）内側突出部８ｅは、ロータコア８の軸中心からの距離が、同軸中心から前記磁石収容部８ｆ（積層前磁石収容部１１ｂ）の径方向内側端部までの距離より大きく設定される。このようにすると、径方向収容孔８ａ内に配設される磁石９の径方向内側端部は、ロータコア８の軸中心からの距離が、同軸中心から前記磁石収容部８ｆ（積層前磁石収容部１１ｂ）の径方向内側端部までの距離より大きくなる。よって、径方向収容孔８ａ内に配設した状態で着磁を行う際に磁石収容部８ｆ内に配設された磁石１０の影響を受け難く、容易且つ良好に着磁することができる。よって、磁石９の無駄を少なくすることができる。尚、このことは、実験によって、径方向収容孔内に配設される磁石の径方向内側端部とロータコアの軸中心からの距離が、同軸中心から磁石収容部の径方向内側端部までの距離と略等しい場合に、磁石の径方向内側端部で着磁不良（磁石の無駄）が発生したことから導き出している。
【００３１】
（５）ロータコア８は、コアシート１１が軸中心に１枚ずつ３６０°／（Ｐ／２）であって、本実施の形態では９０°ずつ回転されながら多数枚積層されてなる。このようにすると、コアシート１１を３６０°／（Ｐ／２）ずつ回転させながら積層するという動作が一定なので容易に製造することができ、例えば、自動化が容易となる。又、コアシート１１を多数枚積層すると、内側突出部８ｅが軸方向に定期的（本実施の形態ではコアシート１１の３枚置き）に存在し、磁石９の径方向内側への移動が軸方向に定期的に規制されるため、磁石９をバランス良く支持することができる。
【００３２】
上記実施の形態は、以下のように変更して実施してもよい。
・上記実施の形態では、内側突出部８ｅは、径方向収容孔８ａにおいて径方向の直交方向の片側（図１中、反時計回り側）からのみ突出するとしたが、コアシート１１における積層前径方向収容孔１１ａにおいて片側（時計回り側、又は反時計回り側）からのみ突出していれば、他の構成に変更してもよい。
【００３３】
例えば、図４〜図６に示すように変更してもよい。この例では、ロータコア２１を構成するコアシート２２において、径方向収容孔２１ａと対応したＰ／２個の積層前径方向収容孔２２ａは、磁石９より径方向に長く形成されるとともに、その全てに磁石９の径方向内側への移動を規制すべく径方向の直交方向の片側（図５中、反時計回り側）から突出した内側突出部２２ｂが形成されている。尚、この例では、外側突出部２２ｃも全ての積層前径方向収容孔２２ａに形成されている。又、この例における内側突出部２２ｂの突出量は、径方向収容孔２１ａ（積層前径方向収容孔２２ａ）における径方向の直交方向の幅の半分より小さく設定されている。
【００３４】
そして、ロータコア２１は、内側突出部２２ｂが径方向収容孔２１ａにおける径方向直交方向の両側から同じ数突出するように前記コアシート２２が積層されてなる。詳しくは、この例のロータコア２１は、コアシートが１枚ずつ表裏に反転されながら多数枚積層されてなり、図６に示すように、内側突出部２２ｂがコアシート１１の１枚毎に異なる側から突出するように（互い違いに）配置されている。
【００３５】
このようにすると、内側突出部２２ｂは径方向収容孔２１ａにおける径方向直交方向の両側から突出するため、（径方向収容孔における径方向直交方向の片側からのみ突出したもの（上記実施の形態）に比べて）磁石９をバランス良く支持することができる。又、内側突出部２２ｂは径方向収容孔２１ａにおける径方向直交方向の両側から同じ数突出するため、ロータコア２１自体のバランスが良好となり、ひいてはロータコア自体のアンバランスに基づく振動を低減することができる。又、内側突出部２２ｂの突出量は、径方向収容孔２１ａ（積層前径方向収容孔２２ａ）における径方向の直交方向の幅の半分より小さく設定されるため、径方向収容孔２１ａにおける径方向直交方向の両側から突出する内側突出部２２ｂ同士が接触してしまうことがなく、そのことにより磁気抵抗が小さくなる（磁路が短くなる）ことがない。
【００３６】
・上記実施の形態では、内側突出部８ｅ（２２ｂ）は、径方向収容孔８ａの径方向内側端部から若干離間して形成されるとしたが、これに限定されず、例えば、図７に示すコアシート３１のように、径方向内側端部と離間せず径方向内側の径方向の直交方向の片側から突出する内側突出部３１ａとしてもよい。尚、この例では、内側突出部３１ａはコアシート３１の全ての積層前径方向収容孔３１ｂに形成されている。又、この例では、外側突出部３１ｃも全ての積層前径方向収容孔３１ｂに形成されている。そして、この例のロータコアは、コアシート３１が単純に（回転されずに）多数枚積層されてなる。このようにすると、上記実施の形態に比べて磁路が短くなるものの、内側突出部３１ａの剛性が高くなり、その変形が低減されるとともに、磁石の径方向内側への移動を強固に（より確実に）規制することができる。
【００３７】
・上記実施の形態では、内側突出部８ｅは、コアシート１１に１個のみ形成されるとしたが、これに限定されず、コアシート１１に内側突出部８ｅを２個以上形成してもよい。尚、この場合、内側突出部８ｅをロータコアにおいて軸方向に定期的に存在するように配置することが望ましい。例えば、内側突出部８ｅを周方向に２個連続して形成した場合、内側突出部８ｅがロータコアにおいて軸方向に定期的に存在するように、コアシートを１８０°ずつ回転させながら多数枚積層してもよいし、コアシートを１枚ずつ表裏に反転させながら多数枚積層してもよい。又、勿論、上記実施の形態を含めて、内側突出部８ｅをロータコアにおいて軸方向に不定期的に存在するように配置してもよい。
【００３８】
・上記実施の形態では、径方向収容孔８ａの径方向内側端部は、ロータコア８の軸中心からの距離が、同軸中心から磁石収容部８ｆ（積層前磁石収容部１１ｃ）の径方向内側端部までの距離以下であるとしたが、これに限定されず、同軸中心から磁石収容部８ｆ（積層前磁石収容部１１ｃ）の径方向内側端部までの距離より大きく設定してもよい。
【００３９】
・上記実施の形態では、内側突出部８ｅは、ロータコア８の軸中心からの距離が、同軸中心から磁石収容部８ｆ（積層前磁石収容部１１ｃ）の径方向内側端部までの距離より大きく設定されるとしたが、これに限定されず、同軸中心から磁石収容部８ｆ（積層前磁石収容部１１ｃ）の径方向内側端部までの距離以下に設定してもよい。
【００４０】
・上記実施の形態では、Ｖ字収容孔８ｂを構成する一対の磁石収容部８ｆは、径方向外側端部が互いに連通しないようにそれぞれ独立した（軸方向に貫通する）孔として形成されるとしたが、これに限定されず、磁石収容部８ｆの径方向外側同士を連通する頂部を有するように（１つの繋がった孔として）形成してもよい。
【００４１】
・上記実施の形態では、磁石収容部８ｆの径方向内側と径方向収容孔８ａとの間に形成される内側ブリッジ部８ｉの軸方向から見た幅が径方向に沿って一定とされるとしたが、これに限定されず、内側ブリッジ部８ｉの軸方向から見た幅が径方向に沿って変化するように変更してもよい。例えば、上記実施の形態の延設部８ｊを形成しなくてもよい。
【００４２】
・上記実施の形態では、ロータコア８は、コアシート１１が軸中心に１枚ずつ回転されながら積層されてなるとしたが、これに限定されず、他の方法（構造）で略同様のロータコアを構成してもよい。例えば、コアシート１１を、複数枚毎に回転させながら積層してもよい。このようにすると、コアシート１１を回転させる回数が減るため、その製造が容易となる。
【００４３】
・上記実施の形態では、１種類のコアシート１１にてロータコア８を構成したが、これに限定されず、複数種類のコアシートにてロータコアを構成してもよい。
・上記実施の形態では、磁石収容部８ｆは、軸方向から見て直線状であってその幅が一定とされ、磁石収容部８ｆ内に配設される磁石１０は、略直方体形状とされるとしたが、これに限定されず、磁石収容部及び磁石の軸方向から見た形状や幅等を変更してもよい。即ち、Ｖ字収容孔の略Ｖ字形状とは、Ｖ字を形成する各直線（一対の直線）がそれぞれ湾曲しているものや、直線の幅が一定ではないもの等を含む形状であって、Ｖ字収容孔のＶ字を形成する各直線に対応した各磁石収容部は、前記直線に対して湾曲しているものや、幅が一定とされていないものを含む。
【００４４】
・上記実施の形態の磁石９，１０及びロータコア８を軸方向に分割し、それらを周方向にずらして配設してもよい。このようにすると、ステータ１とロータ２間での急激な磁束の流れ（変化）を更に低減することができコギングトルク及びトルクリップルを更に低減することができる。
【００４５】
・上記実施の形態のティース４の数や磁極数（磁石９，１０）の数等は、他の数に変更してもよい。
上記各実施の形態から把握できる技術的思想について、以下にその効果とともに記載する。
【００４６】
（イ）請求項２に記載の埋込磁石型モータにおいて、前記ロータコアは、前記コアシートが３６０°／（Ｐ／２）ずつ回転されながら積層されてなることを特徴とする埋込磁石型モータ。
【００４７】
同構成によれば、コアシートを３６０°／（Ｐ／２）ずつ回転させながら積層するという動作が一定なので容易に製造することができ、例えば、自動化が容易となる。又、コアシートを多数枚積層すると、突出部が軸方向に定期的に存在し、磁石の径方向内側への移動が軸方向に定期的に規制されるため、磁石をバランス良く支持することができる。
【図面の簡単な説明】
【００４８】
【図１】本実施の形態における埋込磁石型モータのステータ及びロータの平面図。
【図２】本実施の形態におけるコアシートの平面図。
【図３】本実施の形態におけるロータコアの要部斜視図。
【図４】別例における埋込磁石型モータのステータ及びロータの平面図。
【図５】別例におけるコアシートの平面図。
【図６】別例におけるロータコアの要部斜視図。
【図７】別例におけるコアシートの平面図。
【符号の説明】
【００４９】
２…ロータ、８，２１…ロータコア、８ａ，２１ａ…径方向収容孔、８ｂ…Ｖ字収容孔、８ｅ，２２ｂ，３１ａ…内側突出部（突出部）、８ｆ…磁石収容部、９，１０……磁石、１１，２２，３１…コアシート、１１ａ，２２ａ，３１ｂ…積層前径方向収容孔。
【図１】
0005117833.tif 000002
【図２】
0005117833.tif 000003
【図３】
0005117833.tif 000004
【図４】
0005117833.tif 000005
【図５】
0005117833.tif 000006
【図６】
0005117833.tif 000007
【図７】
0005117833.tif 000008